(57)【要約】【課題】ユーザが設定した情報や登録した情報を秘匿化し、書き込んだり、読み込んだり、削除することが可能なデジタル放送受信装置及びその方法を提供する。【解決手段】デジタル放送受信装置に対してＣＰＵ１０９からシステムバス１１５を通じてＥＥＰＲＯＭ１０７に書き込まれたユーザ固有の内部情報を読み出し、秘匿化した後、書き込み手段であるＳＤ  Ｃａｒｄ装置１１２を用いて記録媒体であるＳＤ  Ｃａｒｄにユーザ固有の情報を書き込み、ＥＥＰＲＯＭ１０７に書き込まれたユーザ固有の内部情報を削除する。また、デジタル放送受信装置に先ほどの記録媒体であるＳＤ  Ｃａｒｄをセットし、読み込み手段であるＳＤ  Ｃａｒｄ装置１１２からユーザ固有の情報を読み出し、ＣＰＵ１０９からシステムバス１１５を通じて記憶装置であるＥＥＰＲＯＭ１０７に書き込み、ＳＤ  Ｃａｒｄのユーザ固有の情報を削除する。【選択図】図１
2005190086.tif 000002
【特許請求の範囲】
【請求項１】
ユーザ設定情報、双方向サービスの利用で登録した個人情報及びデータ放送でのユーザ固有情報を第１の記憶装置に格納するデジタル放送受信装置であって、前記第１の記憶装置に格納したユーザ固有情報を第２の記憶装置に書き込む書き込み手段と、前記書き込み手段による書き込み完了後に、前記第１の記憶装置に格納したユーザ固有情報を削除する第１の削除手段と、前記第２の記憶装置に書き込まれたユーザ固有情報を前記第１の記憶装置へ読み込む読み込み手段と、前記読み込み手段による読み込み完了後に、前記第２の記憶装置に書き込まれたユーザ固有情報を削除する第２の削除手段とを備えたことを特徴とするデジタル放送受信装置。
【請求項２】
前記第２の記憶装置は、デジタル放送受信装置内部の記憶装置またはデジタル放送受信装置外部の記憶装置であることを特徴とする請求項１記載のデジタル放送受信装置。
【請求項３】
前記書き込み手段は、前記第１の記憶装置に格納したユーザ固有情報を暗号化して前記第２の記憶装置に書き込み、前記読み込み手段は、前記第２の記憶装置に書き込まれた暗号化されたユーザ固有情報を平文化して前記第１の記憶装置に読む込むことを特徴とする請求項１記載のデジタル放送受信装置。
【請求項４】
第１の記憶装置に格納したユーザ固有情報を第２の記憶装置に書き込むステップと、前記第２の記憶装置への書き込み完了後に、前記第１の記憶装置に格納したユーザ固有情報を削除するステップと、前記第２の記憶装置に書き込まれたユーザ固有情報を前記第１の記憶装置へ読み込むステップと、前記第２の記憶装置に書き込まれたユーザ固有情報を削除するステップとを備えたことを特徴とするデジタル放送受信方法。
【請求項５】
第１の記憶装置に格納したユーザ固有情報を暗号化して第２の記憶装置に書き込むステップと、前記第２の記憶装置への書き込み完了後に、前記第１の記憶装置に格納したユーザ固有情報を削除するステップと、前記第２の記憶装置に書き込まれたユーザ固有情報を平文化して前記第１の記憶装置へ読み込むステップと、前記第２の記憶装置に書き込まれたユーザ固有情報を削除するステップとを備えたことを特徴とするデジタル放送受信方法。
【発明の詳細な説明】
【技術分野】
【０００１】
本発明は、デジタル放送受信装置及びその方法に関し、更に詳しくは、デジタル放送受信装置の内部情報の移動方法に関するものである。
【背景技術】
【０００２】
２０００年に開始されたＢＳデジタル放送に代表されるデジタル放送受信装置では機能が増加し、ユーザが設定する項目が増加することで、記憶装置に格納する情報量が増加している。この状況下において、サービスマンが故障や修理でデジタル放送受信装置を交換した場合、従来のデジタル放送受信装置では、ユーザが設定可能である機能の設定情報を外部記憶装置に書き込み、交換したデジタル放送受信装置に外部記装置に書き込まれた設定情報を読み出し、再設定を行っている（例えば特許文献１、非特許文献１参照）。
【特許文献１】特公２０００−３５４１２１号公報
【非特許文献１】ＡＲＩＢ  ＳＴＢ−Ｂ２１「ＢＳデジタル放送用受信装置」
【発明の開示】
【発明が解決しようとする課題】
【０００３】
デジタル放送受信装置では、ユーザが設定可能である機能の設定情報以外にデータ放送を始めとする双方向サービスなど新しいサービス（ゲームなどで取得したポイントに応じて高額な商品が貰えるサービスなど）が提供され、ユーザの個人情報の登録やデータ放送のゲームで取得したポイントなどの情報も記憶している。サービスマンが故障や修理でデジタル放送受信装置を交換、あるいは、記憶装置を交換した場合、従来のデジタル放送受信装置ではプライバシーや不正防止の問題がありユーザの個人情報やデータ放送などのゲームで取得したポイントは外部記憶装置を利用して再設定することができなかった。
【０００４】
そのため、データ放送などの個人情報の登録は再入力を行っていたが、サービス事業毎に登録が必要なため、操作が煩雑で情報量が多く、時間的、労力的に非常に困難であり、また、データ放送などゲームで取得したポイントなどは破棄していた。
【課題を解決するための手段】
【０００５】
上記課題を解決するために、本発明では、ユーザが設定した情報や双方向サービスなどで登録及び取得した情報（以下、ユーザ固有の情報）を記憶装置に格納しているデジタル放送受信装置であって、記憶装置に格納しているユーザ固有の情報を外部あるいは内部の別の記憶装置に書き込み、その後に元のユーザ固有の情報を削除する手段と外部あるいは内部の別の記憶装置に書き込まれたユーザ固有の情報をその記憶装置に読み込み、その後に元のユーザ固有の情報を削除する手段とからなる。
【発明の効果】
【０００６】
本発明のデジタル放送受信装置によれば、特別な装置を用いずに外部の記憶装置や内部の記憶装置と情報の交換ができるため、情報の流出を抑制し、煩雑な操作を行うことなく、ユーザ固有の情報を移動することができる。
【発明を実施するための最良の形態】
【０００７】
（実施の形態１）
図１は本発明の実施の形態１におけるデジタル放送受信装置のハードウェアのブロック図であり、これについて説明する。
【０００８】
デジタル放送受信装置は、ユーザが切り替えた信号を受信するＴｕｎｅｒ１００、Ｔｕｎｅｒ１００からの信号を復調する復調器１０１、復調された信号から映像信号・音声信号をデコードするＡＶ  Ｄｅｃｏｄｅｒ１０３、デコードされた映像信号を日本国内の信号形式に変調するＮＴＳＣ  Ｅｎｃｏｄｅｒ１０４、プログラムや番組情報などを格納する記憶装置であるＦｌａｓｈＲＯＭ１０６、ユーザ固有の情報や地上デジタルテレビジョン放送受信装置のシステム設定情報などを格納する記憶装置であるＥＥＰＲＯＭ１０７、プログラムの内部情報などを格納する記憶装置であるＲＡＭ１０８、ＡＶ  Ｄｅｃｏｄｅｒ１０３からの信号を記録、再生する記憶装置でもあるＨＤＤ１０５、電話回線を通じてデータの送受信を行うＭｏｄｅｍ１１０、限定受信を実現するＩＣ  Ｃａｒｄ装置１１１、ＳＤ  Ｃａｒｄ規格に準拠しデータの送受信を行うＳＤ  Ｃａｒｄ装置１１２、ＩＥＥＥ１３９４規格に準拠し外部機器との制御やデータの送受信を行うＩＥＥＥ１３９４装置１１３、Ｂｌｕｅｔｏｏｔｈ規格に準拠しデータの送受信を行うＢｌｕｅｔｏｏｔｈ装置１１４、これらの装置をシステムバス１１５を通じて制御するＣＰＵ１０９から構成される。
【０００９】
以上の構成からなるデジタル放送受信装置における本発明の実施の形態１について図２（ａ）、（ｂ）及び図３の処理フローを用いて以下に説明する。ここで、図２のデジタル放送受信装置（ａ）は交換前のデジタル放送受信装置であり、デジタル放送受信装置（ｂ）は交換するデジタル放送受信装置である。
【００１０】
図３のステップ３１で図２のデジタル放送受信装置（ａ）に記録媒体であるＳＤ  Ｃａｒｄ２４を挿入する。次に図３のステップ３２でユーザ固有の情報の書き込み画面を起動する。図３のステップ３３ではＧＵＩ操作により図２のＣＰＵ２０ａからシステムバス２２ａを通じてＥＥＰＲＯＭ２１ａに書き込まれたユーザ固有の情報を読み出し、書き込み手段であるＳＤ  Ｃａｒｄ装置２３ａを用いてＳＤ  Ｃａｒｄ２４にユーザ固有の情報を書き込む。
【００１１】
図３のステップ３４で、全てのユーザ固有の情報の書き込みが終了すればステップ３５に移り、完了していなければステップ３３で再び書き込み処理を行う。図３のステップ３５では、図２のＣＰＵ２０ａからシステムバス２２ａを通じてＥＥＰＲＯＭ２１ａに書き込まれたユーザ固有の情報の削除を行う。図３のステップ３６、ステップ３７では、図２のデジタル放送受信装置（ａ）からＳＤ  Ｃａｒｄ２４を抜き出し、交換するデジタル放送受信装置（ｂ）に挿入する。
【００１２】
図３のステップ３８でユーザ固有の情報の読み込み画面を起動する。図３のステップ３９ではＧＵＩ操作により読み込み手段であるＳＤ  Ｃａｒｄ装置２３ｂからユーザ固有の情報を読み出し、ＣＰＵ２０ｂからシステムバス２２ｂを通じて記憶装置であるＥＥＰＲＯＭ２１ｂにユーザ固有の情報を書き込む。図３のステップ３９０で、全てのユーザ固有の情報の読み込みが完了していなければステップ３９で再び読み込み処理を行う。読み込み処理が完了すれば、図３のステップ３９１に移る。図３のステップ３９１では、図２のＳＤ  Ｃａｒｄ２４にあるユーザ固有の情報の削除を行い処理は終了となる。
【００１３】
（実施の形態２）
本発明の実施の形態２は、実施の形態１とはユーザ固有の情報の書き込みおよび読み込み手段がケーブル装置を用いる点が異なる。以下に図４（ａ）、（ｂ）及び図５の処理フローを用いて以下に説明する。ここで、図４のデジタル放送受信装置（ａ）は交換前のデジタル放送受信装置であり、デジタル放送受信装置（ｂ）は交換するデジタル放送受信装置である。
【００１４】
図５のステップ５１で図４のデジタル放送受信装置（ａ）と外部記憶装置４４をＩＥＥＥ１３９４ケーブル４５ａで接続する。次に図５のステップ５２でユーザ固有の情報の書き込み画面を起動する。図５のステップ５３ではＧＵＩ操作により図４のＣＰＵ４０ａからシステムバス４２ａを通じてＥＥＰＲＯＭ４１ａに書き込まれたユーザ固有の情報を読み出し、書き込み手段であるＩＥＥＥ１３９４装置４３ａを用いてＩＥＥＥ１３９４ケーブル４５ａを経由して外部記憶装置４４にユーザ固有の情報を書き込む。
【００１５】
図５のステップ５４で、全てのユーザ固有の情報の書き込みが終了すればステップ５５に移り、完了していなければステップ５３で再び書き込み処理を行う。図５のステップ５５では、図４のＣＰＵ４０ａからシステムバス４２ａを通じてＥＥＰＲＯＭ４１ａに書き込まれたユーザ固有の情報の削除を行う。図５のステップ５６、５７では、図４のデジタル放送受信装置（ａ）と外部記憶装置４４の接続を外し、交換するデジタル放送受信装置（ｂ）と外部記憶装置４４をＩＥＥＥ１３９４ケーブル４５ｂで接続する。
【００１６】
図５のステップ５８でユーザ固有の情報の読み込み画面を起動する。図５のステップ５９ではＧＵＩ操作により読み込み手段であるＩＥＥＥ１３９４装置４３ｂを用いて外部記憶装置４４からＩＥＥＥ１３９４ケーブル４５ｂを経由してユーザ固有の情報を読み出し、ＣＰＵ４０ｂからシステムバス４２ｂを通じて記憶装置であるＥＥＰＲＯＭ４１ｂにユーザ固有の情報を書き込む。図５のステップ５９０で、全てのユーザ固有の情報の読み込みが完了していなければステップ５９で再び読み込み処理を行う。読み込み処理が完了すれば、図５のステップ５９１に移る。図５のステップ５９１では、図４の外部記憶装置４４にあるユーザ固有の情報の削除を行い処理は終了となる。
【００１７】
（実施の形態３）
本発明の実施の形態３は、前述の実施の形態１および実施の形態２とユーザ固有の情報の書き込みおよび読み込み手段が無線装置を用いる点が異なる。以下に図６（ａ）、（ｂ）及び図７の処理フローを用いて以下に説明する。ここで、図６のデジタル放送受信装置（ａ）は交換前のデジタル放送受信装置であり、デジタル放送受信装置（ｂ）は交換するデジタル放送受信装置である。
【００１８】
図７のステップ７１で図６のデジタル放送受信装置（ａ）と外部記憶装置６４を接続する。次に図７のステップ７２でユーザ固有の情報の書き込み画面を起動する。図７のステップ７３ではＧＵＩ操作により図６のＣＰＵ６０ａからシステムバス６２ａを通じてＥＥＰＲＯＭ６１ａに書き込まれたユーザ固有の情報を読み出し、書き込み手段であるＢｌｕｅｔｏｏｔｈ装置６３ａを用いて無線６５ａにより外部記憶装置６４にユーザ固有の情報を書き込む。
【００１９】
図７のステップ７４で、全てのユーザ固有の情報の書き込みが終了すればステップ７５に移り、完了していなければステップ７３で再び書き込み処理を行う。図７のステップ７５では、図６のＣＰＵ６０ａからシステムバス６２ａを通じてＥＥＰＲＯＭ６１ａに書き込まれたユーザ固有の情報の削除を行う。図７のステップ７６、７７では、図６のデジタル放送受信装置（ａ）と外部記憶装置６４の接続を外し、交換するデジタル放送受信装置（ｂ）と外部記憶装置６４を接続する。
【００２０】
図７のステップ７８でユーザ固有の情報の読み込み画面を起動する。図７のステップ７９ではＧＵＩ操作により読み込み手段であるＢｌｕｅｔｏｏｔｈ装置６３ｂを用いて外部記憶装置６４から無線６５ｂにてユーザ固有の情報を読み出し、ＣＰＵ６０ｂからシステムバス６２ｂを通じて記憶装置であるＥＥＰＲＯＭ６１ｂにユーザ固有の情報を書き込む。図７のステップ７９０で、全てのユーザ固有の情報の読み込みが完了していなければステップ７９で再び読み込み処理を行う。読み込み処理が完了すれば図７のステップ７９１に移る。図７のステップ７９１では、図６の外部記憶装置６４にあるユーザ固有の情報の削除を行い処理は終了となる。
【００２１】
（実施の形態４）
本発明の実施の形態４は、前述の実施の形態１、実施の形態２および実施の形態３とユーザ固有の情報の書き込みおよび読み込み手段に外部装置を用いない点が異なる。以下に図８（ａ）、（ｂ）及び図９の処理フローを用いて以下に説明する。ここで、図８のデジタル放送受信装置（ａ）はＥＥＰＲＯＭの交換前のデジタル放送受信装置であり、デジタル放送受信装置（ｂ）はＥＥＰＲＯＭを交換するデジタル放送受信装置である。
【００２２】
図９のステップ９１でユーザ固有の情報の書き込み画面を起動する。図９のステップ９２ではＧＵＩ操作により図８のＣＰＵ８０ａからシステムバス８２ａを通じてＥＥＰＲＯＭ８１ａに書き込まれたユーザ固有の情報を読み出しＦｌａｓｈＲＯＭ８３ａにユーザ固有の情報を書き込む。
【００２３】
図９のステップ９３で、全てのユーザ固有の情報の書き込みが終了すればステップ９４に移り、完了していなければステップ９２で再び書き込み処理を行う。図９のステップ９４では、図８のＣＰＵ８０ａからシステムバス８２ａを通じてＥＥＰＲＯＭ８１ａに書き込まれたユーザ固有の情報の削除を行う。図９のステップ９５では、図８のデジタル放送受信装置（ａ）からＥＥＰＲＯＭ８１ａをＥＥＰＲＯＭ８１ｂに交換する。
【００２４】
図９のステップ９６でユーザ固有の情報の読み込み画面を起動する。図９のステップ９７ではＧＵＩ操作により図８のＦｌａｓｈＲＯＭ８３ａからユーザ固有の情報を読み出し、ＣＰＵ８０ａからシステムバス８２ａを通じて記憶装置であるＥＥＰＲＯＭ８１ｂにユーザ固有の情報を書き込む。図９のステップ９８で、全のユーザ固有の情報の読み込みが完了していなければステップ９７で再び読み込み処理を行う。読み込み処理が完了すれば図９のステップ９９に移る。図９のステップ９９では、図８のＦｌａｓｈＲＯＭ８３ａにあるユーザ固有の情報の削除を行い処理は終了となる。
【００２５】
（実施の形態５）
本発明の実施の形態５は、前述の実施の形態１で説明したユーザ固有の書き込み手段および読み込み手段に秘匿手段を合わせた点が異なる。以下に前述の図２（ａ）、（ｂ）及び図１０の処理フローを用いて以下に説明する。
【００２６】
図１０のステップ１０１で図２のデジタル放送受信装置（ａ）に記録媒体であるＳＤ  Ｃａｒｄ２４を挿入する。次に図１０のステップ１０２でユーザ固有の情報の書き込み画面を起動する。図１０のステップ１０３ではＧＵＩ操作により図２のＣＰＵ２０ａからシステムバス２２ａを通じてＥＥＰＲＯＭ２１ａに書き込まれたユーザ固有の情報を読み出し暗号化し、書き込み手段であるＳＤ  Ｃａｒｄ装置２３ａを用いてＳＤ  Ｃａｒｄ２４に暗号化したユーザ固有の情報を書き込む。
【００２７】
図１０のステップ１０４で、全てのユーザ固有の情報の書き込みが終了すればステップ１０５に移り、完了していなければステップ１０３で再び書き込み処理を行う。図１０のステップ１０５では、図２のＣＰＵ２０ａからシステムバス２２ａを通じてＥＥＰＲＯＭ２１ａに書き込まれたユーザ固有の情報の削除を行う。図１０のステップ１０６、１０７では、図２のデジタル放送受信装置（ａ）からＳＤ  Ｃａｒｄ２４を抜き出し、交換するデジタル放送受信装置（ｂ）に挿入する。
【００２８】
図１０のステップ１０８でユーザ固有の情報の読み込み画面を起動する。図１０のステップ１０９ではＧＵＩ操作により読み込み手段であるＳＤ  Ｃａｒｄ装置２３ｂからユーザ固有の情報を読み出し平文化し、ＣＰＵ２０ｂからシステムバス２２ｂを通じて記憶装置であるＥＥＰＲＯＭ２１ｂに平文化したユーザ固有の情報を書き込む。図１０のステップ１０９０で、全てのユーザ固有の情報の読み込みが完了していなければステップ１０９で再び読み込み処理を行う。読み込み処理が完了すれば図１０のステップ１０９１に移る。図１０のステップ１０９１では、図２のＳＤ  Ｃａｒｄ２４にあるユーザ固有の情報の削除を行い処理は終了となる。なお、実施の形態２および実施の形態３においても同様である。
【００２９】
なお、実施の形態１、実施の形態２、実施の形態３、実施の形態４および実施の形態５でユーザ固有の情報が「ＥＥＰＲＯＭ」に格納される構成にしたが、「Ｆｌａｓｈ  ＲＯＭ」や「ＨＤＤ」でもよい。
【００３０】
また、実施の形態１、実施の形態２、実施の形態３および実施の形態５で「デジタル放送受信装置の交換」で構成したが、「デジタル放送受信装置の記憶装置の交換」でもよい。
【００３１】
また、実施の形態１で、書き込み手段および読み込み手段として「ＳＤ  Ｃａｒｄ装置」で構成したが、記録媒体としてコンパクトフラッシュ（Ｒ）を用いた「コンパクトフラッシュ（Ｒ）装置」でもよい。
【００３２】
また、実施の形態２で、書き込み手段および読み込み手段として「ＩＥＥＥ１３９４装置」で構成したが、ケーブル装置としてＵＳＢ用いた「ＵＳＢ装置」でもよい。
【００３３】
また、実施の形態３で、書き込み手段および読み込み手段として「Ｂｌｕｅｔｏｏｔｈ装置」で構成したが、無線装置として赤外線用いた「赤外線装置」でもよい。
【００３４】
なお、本発明は上記した実施の形態に限定されるものではない。
【００３５】
以上、本発明を実施するための最良の形態における機能は、所定のプログラムによって実現され、これをフロッピー（Ｒ）ディスク等の記録媒体に記録して移送することにより、独立した他のコンピュータ・システムで容易に実施することができ、また製品においては、内蔵するメモリーに該プログラムが書き込まれ、受信装置のハードキーあるいはリモコンによりユーザーが操作を行うことができる。
【産業上の利用可能性】
【００３６】
本発明のデジタル放送受信装置の内部情報の移動方法は、特別な装置を用いずに外部の記憶装置や内部の記憶装置と情報の交換ができるため、情報の流出を抑制し、煩雑な操作を行うことなく、ユーザ固有の情報を移動することができるため、デジタル放送に用いる受信装置などとして有用である。
【図面の簡単な説明】
【００３７】
【図１】本発明の実施の形態におけるデジタル放送受信装置のハードウェアのブロック図
【図２】本発明の実施の形態１、５におけるデジタル放送受信装置のハードウェアのブロック図
【図３】本発明の実施の形態１におけるデジタル放送受信装置の処理フロー図
【図４】本発明の実施の形態２におけるデジタル放送受信装置のハードウェアのブロック図
【図５】本発明の実施の形態２におけるデジタル放送受信装置の処理フロー図
【図６】本発明の実施の形態３におけるデジタル放送受信装置のハードウェアのブロック図
【図７】本発明の実施の形態３におけるデジタル放送受信装置の処理フロー図
【図８】本発明の実施の形態３におけるデジタル放送受信装置のハードウェアのブロック図
【図９】本発明の実施の形態３におけるデジタル放送受信装置の処理フロー図
【図１０】本発明の実施の形態５におけるデジタル放送受信装置の処理フロー図
【符号の説明】
【００３８】
１００    Ｔｕｎｅｒ
１０１    復調器
１０２    ＴＳ  Ｄｅｃｏｄｅｒ
１０３    ＡＶ  Ｄｅｃｏｄｅｒ
１０４    ＮＴＳＣ  Ｅｎｃｏｄｅｒ
１０５    ＨＤＤ
１０６    Ｆｌａｓｈ  ＲＯＭ
１０７    ＥＥＰＲＯＭ
１０８    ＲＡＭ
１０９    ＣＰＵ
１１０    Ｍｏｄｅｍ
１１１    ＩＣ  Ｃａｒｄ装置
１１２    ＳＤ  Ｃａｒｄ装置
１１３    ＩＥＥＥ１３９４装置
１１４    Ｂｌｕｅｔｏｏｔｈ装置
１１５    システムバス
【図１】
2005190086.tif 000003
【図２】
2005190086.tif 000004
【図３】
2005190086.tif 000005
【図４】
2005190086.tif 000006
【図５】
2005190086.tif 000007
【図６】
2005190086.tif 000008
【図７】
2005190086.tif 000009
【図８】
2005190086.tif 000010
【図９】
2005190086.tif 000011
【図１０】
2005190086.tif 000012